(57)【要約】【課題】容量を低下させることなく、異物の移動を効果的に阻止する。【解決手段】ケーシング４からそれぞれ外部に露出する露出部を有する正極外部端子１３及び負極外部端子１４と、外部端子１３及び１４にそれぞれ接続される正極集電体１８及び負極集電体１９と、いずれも帯状の負極２７、正極２６及びセパレータ２８からなり、負極２７と正極２６との間にセパレータ２８を配置し、セパレータ２８に対して正極２６と負極２７とを幅方向の反対側にそれぞれ位置をずらせた状態で巻回してなり、正極２６が正極集電体１８に接続され、負極２７が負極集電体１９に接続される電極体７と、電極体７の巻回部分の中心孔３０内に収容され、正極側又は負極側の少なくともいずれか一方に配置され、電極体７を扁平状に変形させる際、中心孔３０を閉鎖する閉鎖要素３１と、を備える。【選択図】図３
2014067622.tif 000002
【特許請求の範囲】
【請求項１】
ケーシングと、
前記ケーシングからそれぞれ外部に露出する露出部を有する正極外部端子及び負極外部端子と、
前記ケーシングの内部に配置され、前記正極外部端子及び前記負極外部端子にそれぞれ接続される正極集電体及び負極集電体と、
いずれも帯状の負極、正極及びセパレータからなり、負極と正極との間にセパレータを配置し、セパレータに対して正極と負極とを幅方向の反対側にそれぞれ位置をずらせた状態で巻回してなり、前記ケーシングの内部に配置され、前記正極が前記正極集電体に接続され、前記負極が前記負極集電体に接続される電極体と、
前記電極体の巻回部分の中心孔内の少なくとも一部に配置され、前記中心孔を閉鎖する閉鎖要素と、
を備えたことを特徴とする蓄電素子。
【請求項２】
閉鎖要素は、前記電極体の巻回部分の中心孔内の前記負極側又は前記正極側のいずれか一方であることを特徴とする請求項１に記載の蓄電要素。
【請求項３】
前記閉鎖要素は、前記電極体の巻回部分の中心孔内の正極側に配置したことを特徴とする請求項２に記載の蓄電素子。
【請求項４】
前記閉鎖要素は、平面視矩形状のシート状部材であることを特徴とする請求項１から３のいずれか１項に記載の蓄電素子。
【請求項５】
前記閉鎖要素は、前記電極体の中心孔のうち、少なくともターン部を閉鎖する接着剤であることを特徴とする請求項１から３のいずれか１項に記載の蓄電素子。
【請求項６】
前記正極側が鉛直方向下方側に位置し、前記負極側が鉛直方向上方側に位置するように配置して使用することを特徴とする請求項１から５のいずれか１項に記載の蓄電素子。
【請求項７】
前記閉鎖要素は、絶縁材料からなることを特徴とする請求項１から６のいずれか１項に記載の蓄電素子。
【請求項８】
負極と正極との間にセパレータを配置し、セパレータに対して正極と負極とを幅方向の反対側にそれぞれ位置をずらせた状態で巻回し、
電極体の巻回部分の中心孔内であって、前記正極側又は前記負極側の少なくともいずれか一方に閉鎖要素を配置し、
前記電極体を扁平状に変形させて、前記閉鎖要素によって中心孔を閉鎖することを特徴とする蓄電素子の製造方法。
【請求項９】
前記閉鎖要素は、中心線を挟んで両側に突出部分を有するように変形させて挿入し、前記電極体を扁平状に変形させる際、中心孔の形状変化に追随して平坦状とすることを特徴とする請求項８に記載の蓄電要素の製造方法。
【発明の詳細な説明】
【技術分野】
【０００１】
本発明は、蓄電素子及びその製造方法に関するものである。
【背景技術】
【０００２】
従来、蓄電素子として、例えば、次のような構成のものが公知である。
特許文献１では、第１金属箔からなる第１金属部が捲回された第１金属捲回部の径方向内側に第１端子溶接部を配置している。そして、第１端子溶接部に凹部を形成し、この凹部に凹部対向金属部を圧接している。この状態で、抵抗溶接により、第１金属捲回部と第１端子溶接部とを一体化している。これにより、電池内部への異物の侵入が防止される。
【０００３】
しかしながら、特許文献１に記載された発明では、第１金属捲回部と第１端子溶接部の一体化には抵抗溶接を利用している。通常、負極側である第１金属捲回部と第１端子溶接部には銅が使用される。抵抗溶接時、銅箔からなる第１金属捲回部から銅片が発生することは避けられない。発生した銅片が正極側の、通常、アルミニウムからなる第２金属捲回部に至ると、この第２金属捲回部が溶融し、場合によっては短絡の問題が発生する。
【０００４】
また、前記特許文献１に記載された発明では、金属箔の座屈を抑制することにより、スパッタの発生に伴う電極体への異物の付着、及び、電池内部への異物の混入を抑えている。このため、第１金属捲回部の径方向内側の全領域に亘って第１端子溶接部が隙間なく密着する。このため、第１金属捲回部内に保持可能な電解液の容量が抑制される。つまり、蓄電素子の容量が低下するという問題がある。
【先行技術文献】
【特許文献】
【０００５】
【特許文献１】特開２００９−１７６４８２号公報
【発明の概要】
【発明が解決しようとする課題】
【０００６】
本発明は、負極側から正極側への小片の移動を効果的に阻止することができ、しかも製造工程で電解液を内部へと十分に浸漬させることのできる蓄電素子及びその製造方法を提供することを課題とする。
【課題を解決するための手段】
【０００７】
本発明は、前記課題を解決するための手段として、
ケーシングと、
前記ケーシングからそれぞれ外部に露出する露出部を有する正極外部端子及び負極外部端子と、
前記ケーシングの内部に配置され、前記正極外部端子及び前記負極外部端子にそれぞれ接続される正極集電体及び負極集電体と、
いずれも帯状の負極、正極及びセパレータからなり、負極と正極との間にセパレータを配置し、セパレータに対して正極と負極とを幅方向の反対側にそれぞれ位置をずらせた状態で巻回してなり、前記ケーシングの内部に配置され、前記正極が前記正極集電体に接続され、前記負極が前記負極集電体に接続される電極体と、
前記電極体の巻回部分の中心孔内の少なくとも一部に配置され、前記中心孔を閉鎖する閉鎖要素と、
を備えたものである。
【０００８】
この構成により、たとえ負極から小片が脱落し、脱落した小片が正極側へと移動しようとしても、閉鎖要素によって電極体の中心孔を介して正極に至ることはない。したがって、小片が正極に至ることによる不具合は発生しない。
【０００９】
閉鎖要素は、前記電極体の巻回部分の中心孔内の前記負極側又は前記正極側のいずれか一方であるのが好ましい。
【００１０】
この構成により、製造過程で、注入した電解液を、閉鎖要素によって閉鎖されていない反対側の隙間を介して電極体内へと浸漬させることができ、電気容量の低下を防止することができる。
【００１１】
前記閉鎖要素は、前記電極体の巻回部分の中心孔内の正極側に配置するのが好ましい。
【００１２】
この構成により、中心孔内の負極側に余剰の電解液を貯留可能なスペースを形成することができる。このため、たとえ蓄電素子を傾けて正極が下方側に位置したとしても、小片は中心孔内に捕捉され、又、電解液も中心孔に貯留されて下方側への流動量が抑制される。したがって、脱落した小片の正極側への移動が効果的に阻止される。
【００１３】
前記閉鎖要素は、平面視矩形状のシート状部材であればよい。
【００１４】
この構成により、閉鎖要素を簡単かつ安価に製作することができる。
【００１５】
前記閉鎖要素は、前記電極体の中心孔のうち、少なくともターン部を閉鎖する接着剤であってもよい。
【００１６】
この構成により、電極体の中心孔を構成する内面に接着部を塗布するという簡単な作業だけで、電極体を扁平状に変形させるだけで中心孔を閉鎖することができる。
【００１７】
前記正極側が鉛直方向下方側に位置し、前記負極側が鉛直方向上方側に位置するように配置して使用することができる。
【００１８】
前記閉鎖要素は、絶縁材料で構成するのが好ましい。
【００１９】
また、本発明は、前記課題を解決するための手段として、
蓄電素子の製造方法を、
負極と正極との間にセパレータを配置し、セパレータに対して正極と負極とを幅方向の反対側にそれぞれ位置をずらせた状態で巻回し、
電極体の巻回部分の中心孔内であって、前記正極側又は前記負極側の少なくともいずれか一方に閉鎖要素を配置し、
前記電極体を扁平状に変形させて、前記閉鎖要素によって中心孔を閉鎖するようにしたものである。
【００２０】
この場合、前記閉鎖要素は、中心線を挟んで両側に突出部分を有するように変形させて挿入し、前記電極体を扁平状に変形させる際、中心孔の形状変化に追随して平坦状とするのが好ましい。
【００２１】
これによれば、閉鎖要素の長さを、電極体を扁平状に変形させた後の中心孔の長さと合致させることができ、中心孔を完全に閉鎖することができる。
【発明の効果】
【００２２】
本発明によれば、電極体の中心孔内の負極側又は正極側のいずれか一方に閉鎖要素を備えるようにしたので、一方の極で小片が脱落してとしても、中心孔を介して他方の極に至ることはなく、不具合を発生させることがない。また、閉鎖要素は一方の極側に設けた場合、他方の極側から電極体内へと電解液を注液しやすく、電解液の供給範囲が制限されて電気容量の低下をもたらすこともない。
【図面の簡単な説明】
【００２３】
【図１】本実施形態に係る非水電解質二次電池の斜視図である。
【図２】図１から電池容器を取り外した状態を示す分解斜視図である。
【図３】図１に示す非水電解質二次電池の分解斜視図である。
【図４】（ａ）は図２に示す非水電解質二次電池の電池容器以外の部分と、絶縁シートとを示す斜視図、（ｂ）はその側面図である。
【図５】（ａ）は図３の電極体の作成途中（シート状部材を挿入した状態）の側面図、（ｂ）は電極体を厚さ方向から押し潰した状態の正面図、（ｃ）は（ｂ）の側面図である。
【図６】本実施形態に係る非水電解質二次電池を横向きにして取り付ける際の、電解液及び銅片の状態を示す概略正面図である。
【図７】本実施形態に係る非水電解質二次電池を横向きにした際の電解液の流動ルートを示す側面図である。
【図８】他の実施形態に係る電極体の作成途中（シート状部材を挿入した状態）の側面図、（ｂ）は電極体を厚さ方向から押し潰した状態の正面図、（ｃ）は（ｂ）の側面図である。
【発明を実施するための形態】
【００２４】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００２５】
図１及び図２は、本実施形態に係る非水電解質二次電池（以下、単に電池１と記載する。）を示す。この電池１は、電池容器２と蓋体３とで構成されるケーシング４と、前記蓋体３から露出する露出面を有する外部端子５と、前記ケーシング４の内部に配置され、前記外部端子５に接続される集電体６と、前記ケーシング４の内部に配置され、前記集電体６に接続される電極体７とを備える。
【００２６】
電池容器２は、上面が開口する略直方体形状で、アルミニウムやアルミニウム合金等で構成されている。電池容器２の底面及び内側面には、図４に示す絶縁シート８が配置されるようになっている。絶縁シート８には、後述するように、幅方向に並設される電極体７の底面側の隙間に侵入する閉鎖片９ａ、９ｂが一体化されている。閉鎖片９ａ、９ｂは、発泡ポリエチレン等の弾性を有する材料からなり、上端に向かうに従って徐々に幅寸法が小さくなる形状、すなわち、並設される電極体７の両下方側円弧面に沿った形状に形成されている。
【００２７】
図３に示すように、蓋体３は、平面視矩形状の長尺な金属製の板状である。蓋体３の中央部には上面側から段付きとなる略楕円形状の開口部１０が形成されている。この開口部１０には金属製の安全弁１１が、押えリング１２によって装着されている。安全弁１１には、略Ｈ字状の薄肉部が形成されている。薄肉部は、内圧が異常に上昇した場合に裂け、内部を減圧する。
【００２８】
また、蓋体３には、開口部１０から両端側に向かって、順次、貫通孔３ａ、及び、逃がし凹部３ｂがそれぞれ形成されている。貫通孔３ａには、後述する補助端子１６が挿通し、接続端子１５と集電体６とを連結する。逃がし凹部３ｂには、後述する第１パッキン２４の凹部２４ｂにより形成された下方側に突出した部分（凸部）が配置される。なお、蓋体３の一部には、図示しないが、小径の注液孔が形成され、注液後に栓体によって閉鎖されるようになっている。
【００２９】
外部端子５は、正極外部端子１３と負極外部端子１４からなる。正極外部端子１３は、接続端子１５、補助端子１６、及び、接続ボルト１７で構成され、負極外部端子１４は接続端子１５及び接続ボルト１７で構成されている。これらは全てアルミニウム、アルミニウム合金等の導電性材料で形成されている。正極側の接続端子１５は、板状で、補助端子１６の軸部が挿通する貫通孔１５ａと、接続ボルト１７のボルト部１７ａが螺合されるネジ孔１５ｂとが形成されている。負極側の接続端子１５は、同じく板状で、ネジ孔１５ｂが形成されているが、下面から突起１５ｃ（後述する軸部１６ｂに相当する。）が形成されている点で相違する。補助端子１６は、接続端子１５と、後述する集電体６とを接続するためのものである。接続ボルト１７は、ボルト部１７ａと、その下端部の鍔部１７ｂとで構成されている。
【００３０】
集電体６は、アルミニウム、アルミニウム合金等からなる正極集電体１８と、銅、銅合金等からなる負極集電体１９とからなる。これら集電体６はいずれも、長尺な金属製板材をプレス加工することにより、接続受部２０と、その両側部からそれぞれ延びる脚部２１とを形成されている。各接続受部２０には、貫通孔２０ａと開口部２２とが形成されている。正極集電体１８の接続受部２０の貫通孔２０ａには、上面側から補助端子１６の軸部１６ｂが接合される。負極集電体１９の接続受部２０の貫通孔２０ａには、上面側から接続端子１５の突起１５ｃが接合される。また、各接続受部２０には矩形状の開口部２２が形成されている。
【００３１】
脚部２１は、接続受部２０の一縁部から９０度捩った状態で、直交する方向に延び、電極体７の両端面に沿って配置される。そして、脚部２１は電極体７の正極２６又は負極２７に、クリップ２３を介して接続される。
【００３２】
外部端子５と蓋体３との間、及び、蓋体３と集電体６との間には、第１パッキン２４及び第２パッキン２５がそれぞれ配置されている。両パッキン２４及び２５には、貫通孔２４ａ及び２５ａと凹部２４ｂ及び２５ｂとがそれぞれ形成されている。パッキン２４、２５の外縁部の４箇所には貫通孔２４ｃが形成され、そこにはステンレス製のボール（図示せず）がそれぞれ配置される。
【００３３】
電極体７は、アルミニウム箔からなる正極２６と、銅箔からなる負極２７と、多孔性の樹脂フィルムからなり、正極２６と負極２７の間に配置されるセパレータ２８と、を備えている。正極２６、負極２７及びセパレータ２８はいずれも帯状で、セパレータ２８に対して正極２６と負極２７とを幅方向の反対側にそれぞれ位置をずらせた状態で、巻芯２９の周囲に巻回されて扁平状となっている。巻芯２９には、例えば、ポリエチレンシート等が使用されている。
【００３４】
図５に示すように、電極体７の中心孔３０、すなわち扁平状に巻回されることにより形成された（Ｚ方向に）縦長の孔には、正極側から閉鎖要素の一例であるシート状部材３１が挿入される。シート状部材３１は、発泡ポリエチレン等で構成されており、可撓性を有する。したがって、このシート状部材３１を電極体７の中心孔３０に挿入する際には、波形に変形させることができ、その両端部を電極体７の中心孔３０の両端部に当接させることができる。電極体７を厚み方向（Ｘ方向）に押し潰すことにより、シート状部材３１は、偏ることなく、スリット状に変形する中心孔３０の形状変化に追随してスムーズに伸長する。そして、シート状部材３１は、正極２６のセパレータ２８からはみ出した部分に沿って、変形後の中心孔３０を閉鎖する。つまり、シート状部材３１の長さは、変形後の中心孔３０の長さと一致する。
【００３５】
また、前記シート状部材３１は、発砲ポリエチレン等で構成する場合、独立気泡（独立した穴の構造）の部材を用いることも可能であるが、電解液の浸透性から、連続気泡（連続した隙間が形成された構造）の部材を用いるのが好ましい。隙間の大きさに起因して、独立気泡の部材は後述する小片だけではなく電解液の移動を阻止する一方、連続気泡の部材であれば、小片の移動を阻止するが、電解液の移動は可能であるためである。
【００３６】
図３に示すように、厚み（Ｘ）方向に押し潰された電極体７は、２つ一組で厚み（Ｘ）方向に並設された状態で、結束シート３２が巻き付けられて一体化される。結束シート３２を巻き付けた状態では、その両端側にセパレータ２８がはみ出し、さらにセパレータ２８から正極２６と負極２７がそれぞれはみ出す。はみ出した正極２６及び負極２７の各２箇所には、クリップ２３を介して正極集電体１８及び負極集電体１９の両脚部２１がそれぞれ接続される。正極２６・クリップ２３間、クリップ２３・正極集電体１８間、及び、負極２７・クリップ２３間、クリップ２３・負極集電体１９間は、例えば、超音波溶接により接続される。
【００３７】
図２に示すように、電極体７の両端側下半部は、保護シート３３によって覆われている。保護シート３３は、耐熱性に優れた材料からなるフィルム状の構成であるのが好ましい。耐熱性に優れた材料とすることにより、電極体７からの熱により変形等の不具合を発生させることがない。また、フィルム状とすることにより、占有スペースを抑制して、電極体７が小さくなることを防止することができる。ここでは、保護シート３３として、片面に接着剤が塗布されたアクリルテープを使用している。但し、保護シート３３は、耐熱性に優れていればよく、接着剤や粘着剤が塗布されている必要はない。この場合、別途、保護シート３３を粘着テープ等で貼着すればよい。
【００３８】
電極体７は、クリップ２３を介して接続された各集電体６が電池容器２の長手方向（Ｙ方向）の両端部にそれぞれ位置するようにして、電池容器２の幅（短手）方向（Ｘ方向）に２列で、電池容器２に収容される。このとき、電池容器２の底面に配置した絶縁シート８の閉鎖片９ａ、９ｂが、図４（ｂ）に示すように、電極体７の下方側湾曲面で形成される隙間へと侵入し、圧接することにより隙間を閉鎖する。
【００３９】
次に、前記構成の電池１の製造方法について説明する。
まず、帯状の正極２６、負極２７及びセパレータ２８を搬送し、図示しない回転体に装着した巻芯２９に巻き取り、扁平状とする。このとき、セパレータ２８に対して正極２６と負極２７とを幅方向の反対側にそれぞれ位置をずらせる。これにより、一端側に正極２６がはみ出し、他端側に負極２７がはみ出す。
【００４０】
そして、形成された扁平状の筒状体の中心孔３０に、正極側からシート状部材３１を挿入する。シート状部材３１は波形に屈曲させた状態で挿入し、その両端部を縦長の中心孔３０の両端側にそれぞれ当接させる。続いて、筒状体を両側から押し潰す。これにより、中心孔３０はさらに縦長のスリット状となり、シート状部材３１はその形状変化に合わせてフラット状となる。この結果、スリット状となった中心孔３０は、筒状体の一端側からはみ出した正極２６に沿う位置で、シート状部材３１によって完全に閉鎖される。
【００４１】
前述のように、シート状部材３１を、予め波形に形成している場合、剛性が高められているので、中心孔３０内へとスムーズに挿入することができる。この場合、シート状部材３１の波形は、中心線を挟んで山型の突出部分を同数とすることにより、中心孔３０に挿入した状態でバランス良く位置決めすることができる。
【００４２】
次いで、押し潰された扁平状となった筒状体を厚み（Ｘ）方向に並設し、これらの外周に結束シート３２を巻き付けて一体化する。そして、一体化された筒状体の両端面下半部に保護シート３３を貼着する。保護シート３３は、筒状体の両端面だけでなく、筒状体の端面に沿った側面部分にも貼着するのが好ましい。これにより、保護シート３３の貼着状態を強固で安定したものとすることができる。
【００４３】
また、蓋体３の両端側上面に第１パッキン２４をそれぞれ配置する。各第１パッキン２４の上面には、その凹部２４ｂに接続ボルト１７の鍔部１７ｂを配置し、さらにその上方に接続端子１５を配置する。接続ボルト１７のボルト部１７ａは、接続端子１５の貫通孔１５ａを貫通して上方に突出する。一方、蓋体３の両端側下面に第２パッキン２５を介して集電体６をそれぞれ配置する。そして、補助端子１６により接続端子１５と集電体６とを接続し、第１パッキン２４、蓋体３、及び、第２パッキン２５を挟持する。
【００４４】
集電体６等を一体化された蓋体３と電極体７とは、集電体６の脚部２１と電極体７の負極２７又は正極２６とをクリップ２３を介して超音波溶接することにより接続する。そして、電池容器２の底面に閉鎖片９ａ、９ｂを一体化された絶縁シート８を挿入し、さらに電極体７を挿入する。このとき、電極体７の下方側で湾曲面によって形成される隙間に閉鎖片９ａ、９ｂが圧接して閉鎖される。電池容器２の上方開口部を蓋体３で閉鎖し、閉鎖部分を溶接等で封止する。さらに、蓋体３に形成した注液孔を介して電解液を注入した後、この注液孔を封止することにより電池１を完成する。
【００４５】
以上のようにして完成した電池１は、シート状部材３１は、筒状体の中心孔３０に対して正極側に配置されており、筒状体、詳しくは、そこからはみ出した正極２６には後述するクリップ２３によって集電体６の脚部２１が超音波溶着されている。このため、電池完成後に電極体７の正極側が厚み方向（図１中、矢印Ｘ方向）に膨らむことがない。したがって、シート状部材３１による中心孔３０の閉鎖状態が維持される（シート状部材３１を負極側に配置する場合でも同じ。）。
【００４６】
なお、シート状部材３１を中心孔３０の中央部分に配置する場合、電極体７の中央部分が厚み方向に膨らんだとしても、シート状部材３１の形状が追随せず、隙間が発生することがある。したがって、前述のように、シート状部材３１は、電極体７の両端部のいずれかに配置するのが好ましい。但し、シート状部材３１をスポンジ等の弾性変形可能な材料で構成すれば、中心孔３０の中央部分に配置することができる。すなわち、電極体７が厚み方向に変形したとしても、シート状部材３１が弾性変形して追随し、隙間を発生させることはない。
また、シート状部材３１を中心孔３０の両端部又は全体に配置する場合、注液する電解液が電極体７の内部へとスムーズに浸透せず、所望の電気容量を得ることが難しい。
【００４７】
また、電池１は、例えば、複数個を厚さ方向に並設し、接続ボルト１７を介してバスバーによって直列接続する。このとき、接続ボルト１７の極性を隣接する電池１間で逆極性とする。これにより、バスバーの接続距離を最小限に抑えることができる。
【００４８】
ところで、電池１を形成する際、負極集電体１９の脚部２１と負極２７のセパレータ２８からのはみ出し部分とが超音波溶接により接続されている。このため、銅箔である負極２７から銅片３４が脱落する恐れがある。脱落した銅片３４は、電池１内の余剰の電解液（電極体７に保持されずに流動可能な電解液）を流動し、正極側に至る恐れがある。特に、銅片３４は、図６（ａ）から（ｃ）に示すように、電池をマイナス側が上方側（プラス側が下方側）となるように電池１を回転させた場合に移動する可能性が高い。
【００４９】
この場合、電解液の流動ルートとしては、図７に示すように、Ａ〜Ｅの５通りのルートが考えられる。Ａルートは閉鎖片９ａ、９ｂによって閉鎖され、Ｂ及びＣルートはシート状部材３１によって閉鎖されている。このため、銅片３４が、中心孔３０や、電極体７の下方負極側の隙間を通って正極側へと流動することがない。しかも、閉鎖片９ａ、９ｂ及びシート状部材３１によって閉鎖されるのは正極側である。このため、中心孔３０や電極体７の下方正極側の隙間には、電解液を貯留可能なスペースが形成される。したがって、Ｄ，Ｅルートを流動する負極側から正極側への電解液の流量も抑制することができる。
【００５０】
また、Ａ〜Ｃルートに形成されるスペースに銅片３４を捕捉することも期待できる。そして、Ａ〜Ｃルートに形成されるスペースに銅片３４を補足することにより、ルートＤ、Ｅの流動する電解液による銅片３４の移動を抑制することができる。さらに、電極体７の正極側端面下半部は、保護シート３３によって覆われている。このため、たとえ銅片３４が電極体７と電池容器２の間を流動して下方側に移動したとしても、正極側から電極体７内へと流入することがない。なお、正極側で小片（アルミ片）が発生して負極側に移動したとしても、負極に不具合を発生させることもない。
【００５１】
このように、前記構成の電池１であれば、溶接時に発生した銅片３４が正極側に移動して不具合を発生させることがない。すなわち、正極側への銅片３４の移動が阻止できない場合、この銅片３４がアルミ製の正極側に付着する。付着した銅は正極電位の影響を受けて電解液中に溶出する。溶出した銅イオンが負極に到達すると、その表面で析出する。そして、析出量が大きくなると、セパレータ２８を突き破って正極側に至ることがあり、微小短絡回路が形成される。この結果、微小短絡回路に電流が流れて局所的に発熱し、セパレータを溶融させて微小な貫通孔が形成されるので、電池の容量低下が大きくなり、電池に所望の性能を発揮させることができなくなる。なお、正極側で小片（アルミ片）が発生して負極側に移動したとしても、アルミ片には酸化被膜が形成されているので、負極上に付着しても溶出することなく、電池の容量低下にはつながらない。
【００５２】
なお、本発明は、前記実施形態に記載された構成に限定されるものではなく、種々の変更が可能である。
【００５３】
前記実施形態では、電極体７の中心孔３０に、閉鎖要素としてシート状部材３１を挿入することにより銅片３４の移動を阻止するようにしたが、次のように構成することも可能である。
【００５４】
例えば、図８（ａ）に示すように、電極体７の縦長中心孔３０で、正極側の上下端側に閉鎖要素として接着剤３５を塗布し、厚み方向（図中、矢印方向）に押し潰す。これにより、図８（ｂ）、（ｃ）に示すように、接着剤を塗布していない中央部分では対向面が密着し、隙間の発生しやすい両端部は接着剤によって閉鎖される。この構成によっても、前記シート状部材３１を挿入する場合と同様に、中心孔３０を介して銅片３４が正極側（セパレータ２８からはみ出した部分）に移動することを適切に防止することができる。
【００５５】
また、前記実施形態では、電極体７を幅方向に２列で設けた構成の蓄電素子について説明したが、１列や３列以上であっても、前記本発明に係る閉鎖要素を備えた構成を採用することが可能である。
【００５６】
また、前記実施形態では、蓄電素子の一例として非水電解質二次電池を例に挙げて説明したが、鉛蓄電池等の種々の電池１のほか、キャパシタ等にも採用することができる。
【符号の説明】
【００５７】
１…電池
２…電池容器
３…蓋体
４…ケーシング
５…外部端子
６…集電体
７…電極体
８…絶縁シート
９ａ、９ｂ…閉鎖片
１０…開口部
１１…安全弁
１２…押えリング
１３…正極外部端子
１４…負極外部端子
１５…接続端子
１６…補助端子
１７…接続ボルト
１８…正極集電体
１９…負極集電体
２０…接続受部
２１…脚部
２２…開口部
２３…クリップ
２４…第１パッキン
２５…第２パッキン
２６…正極
２７…負極
２８…セパレータ
２９…巻芯
３０…中心孔
３１…シート状部材（閉鎖要素）
３２…結束シート
３３…保護シート
３４…銅片
３５…接着剤
【図１】
2014067622.tif 000003
【図２】
2014067622.tif 000004
【図３】
2014067622.tif 000005
【図４】
2014067622.tif 000006
【図５】
2014067622.tif 000007
【図６】
2014067622.tif 000008
【図７】
2014067622.tif 000009
【図８】
2014067622.tif 000010